(57)【要約】【課題】電解コンデンサの寿命が来る前にＬＥＤ照明装置の交換を実現させることができるＬＥＤ照明装置の寿命推定装置の提供。【解決手段】本発明に係るＬＥＤ照明装置の寿命推定装置は、ＬＥＤ１５を備えたＬＥＤ照明装置１０の電源装置１７に含まれる電解コンデンサ１６の通電時間を積算する通電時間計測部１８ａと、電解コンデンサ１６の寿命時間に至る前の時間が予め交換時間閾値として設定され、通電時間計測部１８ａで積算された通電時間が交換時間閾値に至ったか否か判定する寿命判定部１８ｂと、寿命判定部１８ｂにおいて通電時間計測部１８ａで積算された通電時間が交換時間閾値に至ったと判定されたとき、点灯状態を変更させる電流をＬＥＤ１５に供給する制御を行う供給電流制御部１５ｃとを備えている。【選択図】図３
2017220328.tif 000002
【特許請求の範囲】
【請求項１】
ＬＥＤを備えたＬＥＤ照明装置の電源装置に含まれる電解コンデンサの寿命を推定するＬＥＤ照明装置の寿命推定装置であって、
前記電解コンデンサの通電時間を積算する通電時間計測部と、
前記電解コンデンサの寿命時間に至る前の時間が予め交換時間閾値として設定され、前記通電時間計測部で積算された通電時間が、前記交換時間閾値に至ったか否か判定する寿命判定部と、
前記寿命判定部において前記通電時間計測部で積算された通電時間が前記交換時間閾値に至ったと判定されたとき、前記ＬＥＤの点灯状態が変化するように前記ＬＥＤに供給する電流を制御する供給電流制御部とを備えたことを特徴とするＬＥＤ照明装置の寿命推定装置。
【請求項２】
請求項１に記載のＬＥＤ照明装置の寿命推定装置であって、
前記寿命判定部の判定結果を、前記ＬＥＤ照明装置から送信する送信部を備えたことを特徴とするＬＥＤ照明装置の寿命推定装置。
【請求項３】
請求項２に記載のＬＥＤ照明装置の寿命推定装置であって、
前記電源装置と前記ＬＥＤの間に設けられた寿命予測装置を備え、前記寿命予測装置は、前記通電時間計測部と、前記寿命判定部と、前記供給電流制御部と、前記送信部とを含むことを特徴とするＬＥＤ照明装置の寿命推定装置。
【請求項４】
請求項１に記載のＬＥＤ照明装置の寿命推定装置であって、
前記供給電流制御部は、電流値が大きい値と小さい値の連続的な繰り返しとなるように、前記ＬＥＤに供給される電流を制御するものから成ることを特徴とするＬＥＤ照明装置の寿命推定装置。
【請求項５】
請求項１に記載のＬＥＤ照明装置の寿命推定装置であって、
前記電解コンデンサが設置された環境の温度を検知する温度センサを備え、前記交換時間閾値は前記温度センサで検知された前記環境の温度に基づいて設定されていることを特徴とするＬＥＤ照明装置の寿命推定装置。
【請求項６】
請求項５に記載のＬＥＤ照明装置の寿命推定装置であって、
前記寿命判定部の判定結果、前記通電時間計測部で積算された通電時間、及び前記温度センサで検知された環境の温度を、前記ＬＥＤ照明装置から送信する送信部と、
前記送信部から送信された前記寿命判定部の判定結果、前記通電時間計測部で積算された通電時間、及び前記温度センサで検知された環境の温度を、前記ＬＥＤ照明装置の外部に設けられた遠隔監視施設に送信する外部送信装置とを備えたことを特徴とするＬＥＤ照明装置の寿命推定装置。
【請求項７】
請求項２に記載のＬＥＤ照明装置の寿命推定装置であって、
前記ＬＥＤ照明装置を流れる電流の値を検知する電流センサと、
前記送信部から送信された前記寿命判定部の判定結果、前記通電時間計測部で積算された通電時間、及び前記電流センサで検知された電流の値を、前記ＬＥＤ照明装置の外部に設けられた遠隔監視施設に送信する外部送信装置とを備えたことを特徴とするＬＥＤ照明装置の寿命推定装置。
【請求項８】
請求項２に記載のＬＥＤ照明装置の寿命推定装置であって、
前記ＬＥＤ照明装置の点灯状態を撮影するカメラと、
前記送信部から送信された前記寿命判定部の判定結果、前記通電時間計測部で積算された通電時間、及び前記カメラで撮影された映像を、前記ＬＥＤ照明装置の外部に設けられた遠隔監視施設に送信する外部送信装置とを備えたことを特徴とするＬＥＤ照明装置の寿命推定装置。
【請求項９】
請求項２に記載のＬＥＤ照明装置の寿命推定装置であって、
前記ＬＥＤ照明装置の点灯状態を撮影するカメラと、
前記ＬＥＤ照明装置の外部に設けられた遠隔監視施設にて前記ＬＥＤ照明装置の点灯状態の変化を検知するために、前記カメラで撮影された映像を前記遠隔監視施設に送信する外部送信装置とを備えたことを特徴とするＬＥＤ照明装置の寿命推定装置。
【請求項１０】
請求項２に記載のＬＥＤ照明装置の寿命推定装置であって、
前記送信部は、前記通電時間計測部で積算された通電時間を送信するものから成り、
前記ＬＥＤ照明装置は、エレベーター装置の乗りかご内に設置されており、
前記乗りかごの運行を制御すると共に、前記送信部から前記寿命判定部の判定結果、及び前記通電時間計測部で積算された通電時間が送信される制御装置と、
前記制御装置に接続されて前記エレベーター装置を監視する監視装置と、
前記監視装置と通信回線によって遠隔的に接続されて、前記制御装置に送信された前記寿命判定部の判定結果、及び前記通電時間計測部で積算された通電時間が前記監視装置を介して送信される管制センターと、
前記管制センターから前記寿命判定部の判定結果、及び前記通電時間計測部で積算された通電時間のうちの少なくとも前記寿命判定部の判定結果が送信される保守端末とを備えたことを特徴とするＬＥＤ照明装置の寿命推定装置。
【発明の詳細な説明】
【技術分野】
【０００１】
本発明は、ＬＥＤ照明装置に備えられた電解コンデンサの寿命を推定するＬＥＤ照明装置の寿命推定装置に関する。
【背景技術】
【０００２】
近年、省エネルギー対策として蛍光灯に代わり球切れが無いＬＥＤ照明が適用されるようになって来ている。しかし昨今、ＬＥＤ照明装置の電源装置に含まれる電解コンデンサの寿命によるＬＥＤ照明装置の故障が問題となっている。電解コンデンサの寿命を推定する技術として従来、特許文献１に開示された技術が知られている。この従来技術は、電圧測定回路で照明装置の電源装置に含まれている電解コンデンサの放電時の電圧を測定し、測定した電圧から電解コンデンサの寿命を判定するようにしたものである。
【先行技術文献】
【特許文献】
【０００３】
【特許文献１】特開平２０１２−０６０８１４号公報
【発明の概要】
【発明が解決しようとする課題】
【０００４】
特許文献１に開示された従来技術を、ＬＥＤ照明装置の寿命予測に適用することが考えられる。しかしこのように従来技術を適用したものでは、ＬＥＤ照明装置の寿命が来てからＬＥＤ照明装置を交換することになる。すなわち寿命が来てからＬＥＤ照明装置の交換のための準備作業が始まることから、ＬＥＤ照明装置の交換作業の能率向上を見込めない。また、ＬＥＤ照明装置の寿命による故障発生のときからＬＥＤ照明装置を新たに交換するまでの間、ＬＥＤ照明装置の設置場所は消灯状態となることから、ＬＥＤ照明装置の利用者に長時間にわたって不便をかけることになる。
【０００５】
上記課題を解決するために、本発明の目的は、電解コンデンサの寿命が来る前にＬＥＤ照明装置の交換を実現させることができるＬＥＤ照明装置の寿命推定装置を提供することにある。
【課題を解決するための手段】
【０００６】
上記課題を解決するために、本発明に係るＬＥＤ照明装置の寿命推定装置は、ＬＥＤを備えたＬＥＤ照明装置の電源装置に含まれる電解コンデンサの寿命を推定するＬＥＤ照明装置の寿命推定装置であって、前記電解コンデンサの通電時間を積算する通電時間計測部と、前記電解コンデンサの寿命時間に至る前の時間が予め交換時間閾値として設定され、前記通電時間計測部で積算された通電時間が、前記交換時間閾値に至ったか否か判定する寿命判定部と、前記寿命判定部において前記通電時間計測部で積算された通電時間が前記交換時間閾値に至ったと判定されたとき、前記ＬＥＤの点灯状態が変化するように前記ＬＥＤに供給する電流を制御する供給電流制御部とを備えたことを特徴としている。
【発明の効果】
【０００７】
本発明に係るＬＥＤ照明装置の寿命推定装置によれば、ＬＥＤ照明装置の交換作業の能率を従来よりも向上させることができる。例えば、ＬＥＤ照明装置の交換に際してのＬＥＤ照明装置の消灯状態を従来よりも短い時間で解消させることができ、ＬＥＤ照明装置の利用者に対するサービス性を向上させることができる。前述した以外の課題、構成及び効果は、以下の実施形態の説明により明らかにされる。
【図面の簡単な説明】
【０００８】
【図１】本発明に係るＬＥＤ照明装置の寿命推定装置の一実施形態が備えられたエレベーター装置の構成を示す図である。
【図２】図１に示したエレベーター装置に備えられた乗りかごの内部を示す斜視図である。
【図３】本実施形態に係る寿命推定装置を含むＬＥＤ照明装置の構成を示す図である。
【図４】アレニウスの法則による温度と電解コンデンサの寿命時間との関係の参考例を示す図である。
【図５】図１に示すエレベーター装置の監視システムを示す図である。
【図６】本実施形態に係るＬＥＤ照明装置の寿命推定装置の処理手順を示すフローチャートである。
【図７】保守作業員によるＬＥＤ照明装置の交換作業の手順を示すフローチャートである。
【発明を実施するための形態】
【０００９】
以下、本発明に係るＬＥＤ照明装置の寿命推定装置の実施の形態を図面に基づいて説明する。
【００１０】
図１に示すように、本実施形態に係るＬＥＤ照明装置の寿命推定装置の一実施形態が備えられたエレベーター装置は、昇降路内を昇降する乗りかご１と、この乗りかご１に主ロープ２によって連結されて重量バランスを確保する釣り合いおもり３とを備えている。また、昇降路の天井部に配置された機械室内には、主ロープ２を移動させるシーブ４ａと、このシーブ４ａを回転させるモータ４ｂとを含む巻上機４を備えている。
【００１１】
乗りかご１には、この乗りかご１に備えられた機器に対する信号の送受信に活用されるテールコード５が接続されており、巻上機４にはこの巻上機４の駆動を制御する制御信号が送信される信号線６が接続されている。テールコード５及び信号線６は、乗りかご１の運行を制御する制御装置７に接続されている。また、乗りかご１と釣り合いおもり３を互いに離隔させるそらせ車８と、制御装置７に電力を供給する電源９とが備えられている。
【００１２】
図２に示すように、乗りかご１内には、この乗りかご１内を照明するＬＥＤを有するＬＥＤ照明装置１０と、乗りかご１内を撮影するカメラ１１とが備えられている。カメラ１１によってＬＥＤ照明装置１０の点灯状態が撮影され、このカメラ１１によって撮影された映像は前述の制御装置７に送信される。
【００１３】
図３に示すように、ＬＥＤ照明装置１０は、電源９に接続された電源装置１７を備えており、この電源装置１７には本実施形態の寿命推定対象である電解コンデンサ１６が含まれている。
【００１４】
同図３に示すように、本実施形態に係るＬＥＤ照明装置の寿命推定装置は、電解コンデンサ１６の通電時間を積算する通電時間計測部１８ａと、電解コンデンサ１６の寿命時間に至る前の時間が予め交換時間閾値として設定され、通電時間計測部１８ａで積算された通電時間が、交換時間閾値に至ったか否か判定する寿命判定部１８ｂとを備えている。
【００１５】
また、寿命判定部１８ｂで通電時間計測部１８ａで積算された通電時間が、交換時間閾値に至ったと判定されたとき、点灯状態を変更させる電流をＬＥＤ１５に供給する制御を行う供給電流制御部１８ｃを備えている。さらに本実施形態は、寿命判定部１８ｂの判定結果、及び通電時間計測部１８ａで積算された通電時間を、ＬＥＤ照明装置１０から送信する送信部１８ｄを備えている。
【００１６】
ＬＥＤ照明装置１０の電源装置１７とＬＥＤ１５の間には、寿命予測装置１８が備えられており、この寿命予測装置１８は、前述した通電時間計測部１８ａと、寿命判定部１８ｂと、供給電流制御部１８ｃと、送信部１８ｄとを含んでいる。
【００１７】
寿命予測装置１８の供給電流制御部１８ｃは、電流値が大きい値と小さい値の連続的な繰り返しとなるようにＬＥＤ１５に供給される電流を制御するものから成る。この供給電流制御部１８ｄｃよってＬＥＤ１５に供給される電流が制御された際には、蛍光灯が寿命に至ったときのようにＬＥＤ照明装置１０のＬＥＤ１５は「ちらついた照明」となる。
【００１８】
同図３に示すように本実施形態は、電解コンデンサ１６が設置された環境の温度を検知する温度センサ２０を備えており、前述した交換時間閾値は、温度センサ２０で検知された電解コンデンサ１６が設置された環境の温度に基づいて設定されている。すなわち、寿命判定部１８ｂには、アレニウスの法則による温度と電解コンデンサ１６の寿命時間の関係を示す関数関係が記憶されており、この関数関係と温度センサ２０で検知された環境の温度とにより、電解コンデンサ１６の寿命時間が演算される。このように演算された寿命時間に基づいて交換時間閾値が設定されている。
【００１９】
図４は、アレニウスの法則による温度と電解コンデンサ１６の寿命時間との関係の参考例を示しているが、アレニウスの法則によれば同図４の下段側に示された８５℃保証のアルミ電解コンデンサの場合には、８５℃で２０００時間の寿命時間を有するが、８５℃よりも１０℃上昇し９５℃となっている環境温度では、寿命時間が１／２の１０００時間となる。また、同図４の上段側に示された１０５℃保証のアルミ電解コンデンサの場合には、８５℃で８０００時間の寿命を有するが、９５℃の環境温度では１／２の４０００時間となる。このように温度センサ２０で検知された温度に応じて電解コンデンサ１６の寿命が変化することが一般に知られている。したがって、電解コンデンサ１６が設置された環境温度を温度センサ２０で検知することにより、その環境温度下で設置されている電解コンデンサ１６の寿命時間を演算することができる。この演算された寿命時間に基づいて、寿命時間に至る前の前述した交換時間閾値を精度良く設定することができる。
【００２０】
図３及び図５に示すように、本実施形態は、寿命予測装置１８の送信部１８ｄから送信された寿命判定部１８ｂの判定結果、通電時間計測部１８ａで積算された通電時間、及び温度センサ２０で検知された電解コンデンサ１６の環境温度を、ＬＥＤ照明装置１０の外部に設けられた遠隔監視施設、例えば図１に示したエレベーター装置を含めて複数のエレベーター装置の稼動状態を遠隔的に監視する管制センター３２に送信する後述の外部送信装置を備えている。
【００２１】
また、本実施形態は、図３に示すようにＬＥＤ照明装置１０を流れる電流の値を検知する電流センサ２１を備え、後述の外部送信装置は、電流センサ２１で検知された値を、寿命予測装置１８の送信部１８ｄから送信された寿命判定部１８ｂの判定結果、及び通電時間計測部１８ａで積算された通電時間と共に管制センター３２に送信する処理を行う。
【００２２】
また、後述の外部送信装置は、乗りかご１内の映像、すなわち乗りかご１内のＬＥＤ照明装置１０の点灯状態を撮影する前述のカメラ１１の映像を、寿命予測装置１８の送信部１８ｄから送信された寿命判定部１８ｂの判定結果、及び通電時間計測部１８ａで積算された通電時間と共に管制センター３２に送信する処理を行う。
【００２３】
図５に示すように、ＬＥＤ照明装置１０の寿命予測装置１８は前述した制御装置７に接続されており、制御装置７は、送信部１８ｄを介して、寿命判定部１８ｂの判定結果と、通電時間計測部１８ａで積算された通電時間と、温度センサ２０で検知された電解コンデンサ１６の環境温度を受信する。また制御装置７は電流センサ２１で検知された電流の値と、カメラ１１の映像を受信する。
【００２４】
制御装置７には、エレベーター装置の状況を監視する監視装置３０が接続されており、監視装置３０は通信回線３１を介して管制センター３２に接続されている。制御装置７と監視装置３０とによって、前述した外部送信装置が構成されている。
【００２５】
制御装置７及び監視装置３０と、通信回線３１を介して、寿命予測装置１８の寿命判定部１８ｂの判定結果と、通電時間計測部１８ａで積算された通電時間と、温度センサ２０で検知された電解コンデンサ１６の環境温度と、電流センサ２１で検知されたＬＥＤ照明装置１０を流れる電流の値と、カメラ１１で撮影された乗りかご１内の映像、すなわちＬＥＤ照明装置１０の点灯状態の映像が、管制センター３２に送信される。
【００２６】
また、同図５に示すように、管制センター３２から寿命判定部１８ｂの判定結果、通電時間計測部１８ａで積算された通電時間、及び温度センサ２０で検知された電解コンデンサ１６の環境温度のうちの少なくとも寿命判定部１８ｂの判定結果が送信される保守端末３３を備えている。この保守端末３３は、ＬＥＤ照明装置１０の点検作業、交換作業を行う保守作業員によって保持されている。
【００２７】
なお、前述した寿命予測装置１８の寿命判定部１８ｂで設定される交換時間閾値は、新たなＬＥＤ照明装置１０の取り寄せに要する準備時間とか、保守作業員がＬＥＤ照明装置１０の交換現場まで行くに要する時間等を考慮して設定される。
【００２８】
このように構成した本実施形態に係るＬＥＤ照明装置の寿命推定装置の処理動作について、図６に基づいて説明する。
【００２９】
［手順Ｓ１］  今仮に、ＬＥＤ照明装置１０の電源装置１７に含まれた電解コンデンサ１６が図４の上段側に示された１０５℃保証のアルミ電解コンデンサであって、寿命時間が８０００時間であり、電解コンデンサ１６の環境温度が温度センサ２０によって９５℃と検知されたものとすると、アレニウスの法則に基づいて寿命判定部１８ｂで演算された寿命時間は４０００時間となる。また、新たなＬＥＤ照明装置１０の入手の準備に要する時間と、保守作業員がＬＥＤ照明装置１０が備えられたエレベーター装置まで出かけて行くに要する時間などを含めた準備時間が例えば１００時間であったとすると、交換時間閾値は、
４０００−１００＝３９００（時間）
となる。この３９００時間が寿命判定部１８ｂに交換時間閾値として設定される。
【００３０】
［手順Ｓ２］  寿命判定部１８ｂで、通電時間計測部１８ａで積算された寿命時間が３９００時間に至ったか否か判定される。積算された寿命時間が３９００時間に至っていないと判定されたときには、手順Ｓ１に戻る。積算された寿命時間が３９００時間に至ったと判定されたときには、手順Ｓ３に移る。
【００３１】
［手順Ｓ３］  寿命予測装置１８は、寿命判定部１８ｂの判定結果と、通電時間計測部１８ａで積算された通電時間（３９００時間）と、温度センサ２０で検知された電解コンデンサ１６の環境温度（９５℃）とを送信部１８ｄを介して制御装置７に送信する。同時に寿命判定部１８ｂの判定結果に応じて供給電流制御部１８ｃは、点灯状態を変更させる電流をＬＥＤ１５に供給する制御を行う。これによりＬＥＤ照明装置１０は、ちらついた点灯状態となる。乗りかご１の乗客はＬＥＤ照明装置１０がちらつく照明となったことを目視できる。また、乗りかご１内を撮影するカメラ１１は、乗りかご１内の照明がちらつく映像を制御装置７に送信する。また、電流センサ２１は連続的に変化する状態になった電流値を制御装置７に送信する。
【００３２】
制御装置７に送信された寿命判定部１８ｂの判定結果、すなわちＬＥＤ照明装置１０の交換を要する時期に至った旨の判定結果と、通電時間計測部１８ａで積算された通電時間（３９００時間）と、温度センサ２０で検知された電解コンデンサ１６の環境温度（９５℃）と、電流センサ２１で検知された電流値と、カメラ１１の映像とが、監視装置３０、通信回線３１を介して管制センター３２に送信される。管制センター３２は、これらの情報を総合的に確認してＬＥＤ照明装置１０が交換時期に至ったと認識し、保守作業員の所持する保守端末３３に、例えば寿命判定部１８ｂの判定結果と、ＬＥＤ照明装置１０の交換指令を送信する。
【００３３】
管制センター３２からの交換指令が送信された保守端末３３を所持する保守作業員は、新たなＬＥＤ照明装置１０の入手後、その新たなＬＥＤ照明装置１０を該当するエレベーター装置のＬＥＤ照明装置１０の設置場所まで運搬する。
【００３４】
ＬＥＤ照明装置１０が設置された乗りかご１内において、該当するＬＥＤ照明装置１０の状態が図７に示すように、保守作業員によって調査される。以下、図７のフローチャートについて説明する。
【００３５】
［手順Ｓ１１］  保守作業員によってＬＥＤ照明装置１０に備えられているＬＥＤ１５が寿命に至っているか否か確認される。ＬＥＤ１５が寿命に至っていないときには手順Ｓ１２に移り、ＬＥＤ１５が寿命に至っているときには手順Ｓ１３に移る。
【００３６】
［手順Ｓ１２］  それまで設置されていたＬＥＤ照明装置１０を新たなＬＥＤ照明装置１０に交換する際に、ＬＥＤ１５については今まで設置されていたＬＥＤ照明装置１０のものを再使用する。
【００３７】
［手順Ｓ１３］  ＬＥＤ１５も含めてＬＥＤ照明装置１０の全体を、新たなＬＥＤ照明装置１０に交換する。
【００３８】
このようにして、ＬＥＤ照明装置１０の交換を行うことにより、ＬＥＤ１５が寿命に至っていない場合にはそのＬＥＤ１５を有効に活用し、ＬＥＤ照明装置１０の交換作業に伴う廃棄物を少なくすることができる。
【００３９】
以上のように構成した本実施形態に係るＬＥＤ照明装置の寿命推定装置によれば、ＬＥＤ照明装置１０の電源装置１７に含まれた電解コンデンサ１６の寿命が来る前にＬＥＤ照明装置１０の交換を実現させることができる。
【００４０】
これにより本実施形態は、ＬＥＤ照明装置１０の交換作業の能率を向上させることができる。また、ＬＥＤ照明装置１０の交換に際してのＬＥＤ照明装置１０の消灯状態を短い時間で解消させることができ、乗りかご１の乗客に対するサービス性を向上させることができる。
【００４１】
なお、前述した実施形態では、制御装置７に、寿命予測装置１８の寿命判定部１８ｂの判定結果と、通電時間計測部１８ａで積算された通電時間と、温度センサ２０で検知された電解コンデンサ１６の環境温度と共に、カメラ１１の映像と電流センサ２１で検知された電流値とが送信されるようになっているが、本発明は、このように構成することには限られない。カメラ１１を備えずに、制御装置７に、寿命予測装置１８の寿命判定部１８ｂの判定結果と、通電時間計測部１８ａで積算された通電時間と、温度センサ２０で検知された電解コンデンサ１６の環境温度と共に、電流センサ２１で検知された電流値が送信されるようにしてもよく、また、電流センサ２１を備えずに、制御装置７に、寿命予測装置１８の寿命判定部１８ｂの判定結果と、通電時間計測部１８ａで積算された通電時間と、温度センサ２０で検知された電解コンデンサ１６の環境温度と共に、カメラ１１の映像が送信されるようにしてもよい。また、カメラ１１と電流センサ２１とを備えずに、制御装置７に、寿命予測装置１８の寿命判定部１８ｂの判定結果と、通電時間計測部１８ａで積算された通電時間と、温度センサ２０で検知された電解コンデンサ１６の環境温度が送信されるようにしてもよい。
【００４２】
さらに寿命予測装置１８から制御装置７に、通電時間計測部１８ａで積算された通電時間と、温度センサ２０で検知された電解コンデンサ１６の環境温度を送信させずに、寿命判定部１８ｂの判定結果のみを送信させるようにしてもよい。
【００４３】
また、前述した実施形態では、図６のフローチャートの手順Ｓ２の判定で、積算された通電時間が交換時間閾値に至ってないと判定されたときに、手順Ｓ１に戻るように構成されているが、このように手順Ｓ１に戻らずに、積算された通電時間が交換時間閾値に至ってないと判定されたときには、寿命判定部１８ｂの判定結果と、その段階における積算された通電時間と、温度センサ２０で検知された電解コンデンサ１６の環境温度とを制御装置７に送信させ、これらの寿命判定部１８ｂの判定結果、その段階における積算された通電時間、及び温度センサ２０で検知された電解コンデンサ１６の環境温度を、監視装置３０、通信回線３１を介して管制センター３２に送信させるようにしてもよい。
【００４４】
このように構成したものでは、管制センター３２において、あるいは管制センター３２からの情報を受信する保守端末３３において、積算された通電時間に応じてＬＥＤ照明装置１０の交換時期の予測管理を実現させることができる。
【００４５】
また、前述した実施形態では、寿命予測装置１８が送信部１８ｄを備え、寿命予測装置１８の寿命判定部１８ｂの判定結果、通電時間計測部１８ａで積算された通電時間、及び温度センサ２０で検知された電解コンデンサ１６の環境温度を、送信部１８ｄを介して制御装置７に送信させる構成になっているが、寿命予測装置１８が送信部１８ｄを備えない構成にしてもよい。このように送信部１８ｄを備えない構成であっても、積算された通電時間が交換時間閾値に至ったときには、乗りかご１内のＬＥＤ照明装置１０の照明がちらついた点灯状態となるので、乗りかご１内の乗客は、ＬＥＤ照明装置１０に何らかの異常が生じていることを目視により確認することができる。したがって、乗客からエレベーター装置の管理者等への連絡により、電解コンデンサ１６の寿命が来る前にＬＥＤ照明装置１０の交換を実現させることができる。
【００４６】
また、前述した実施形態では、寿命判定部１８ｂにおける積算された通電時間が交換時間閾値に至ったとの判定に応じて、供給電流制御部１８ｃは電流値が大きい値と小さい値の連続的な繰り返しとなるようにＬＥＤ１５に供給される電流を制御し、ＬＥＤ照明装置１０の照明をちらつかせる点灯状態にするものから成っているが、本発明は、このように構成することには限られない。
【００４７】
ＬＥＤ１５を発光色が変化するものによって構成し、供給電流制御部１８ｃを、寿命判定部１８ｂにおける積算された通電時間が交換時間閾値に至ったとの判定に応じて、ＬＥＤ１５に供給される電流を、ＬＥＤ１５の発光色をそれまでとは変化させる電流に制御する構成にしてもよい。また、供給電流制御部１８ｃの制御により、交換時間閾値に至る少し前から、ＬＥＤ１５の発光色を例えばそれまでは白色光だったものを、交換時間閾値に近づくに従って黄色光、赤色光等のように発光色を複数段階で変化させるように構成してもよい。
【００４８】
また、前述した実施形態にあっても、供給電流制御部１８ｃの制御により、交換時間閾値に至る少し前から、ＬＥＤ照明装置１０を比較的長い周期で電流値を変化させて、ＬＥＤ照明装置１０の照明をちらつかせている状態から、次第に電流値の変化の周期が短くなるように、電流値の変化の周期を複数段階で変化させるようにしてもよい。その他、人間がちらつきを認識しにくいが、カメラで撮影可能な程度に短い周期（例えば周波数３０Ｈｚ以上）に設定して、乗客には極力ちらつきを意識させずに、カメラ映像でちらつきを検知してもよい。
【００４９】
前述した実施形態はエレベーター装置に備えられたＬＥＤ照明装置の寿命推定装置であるが、本発明は、エレベーター装置に備えられたＬＥＤ照明装置の寿命推定装置には限定されない。室内を照明するＬＥＤ照明装置や机上に備えられたＬＥＤ照明装置等の寿命推定装置としても本発明は有効である。
【００５０】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００５１】
１・・乗りかご、７・・制御装置、９・・電源、１０・・ＬＥＤ照明装置、１１・・カメラ、１５・・ＬＥＤ、１６・・電解コンデンサ、１７・・電源装置、１８・・寿命予測装置、１８ａ・・通電時間計測部、１８ｂ・・寿命判定部、１６ｃ・・供給電流制御部、１８ｄ・・送信部、２０・・温度センサ、２１・・電流センサ、３０・・監視装置、３１・・通信回線、３２・・管制センター、３３・・保守端末
【図１】
2017220328.tif 000003
【図２】
2017220328.tif 000004
【図３】
2017220328.tif 000005
【図４】
2017220328.tif 000006
【図５】
2017220328.tif 000007
【図６】
2017220328.tif 000008
【図７】
2017220328.tif 000009